(57)【要約】【課題】  組立てて使用する簡易トイレ１の収納空間を十分に小さくし、かつ、簡易トイレ１使用時に、運搬を不要とし組立時間を短縮して、使用可能になるまでの時間を短縮する。【解決手段】  矩形状の複数の個室１９を連設して形成する壁部材５と、壁部材５が差し込まれる溝２３を有する床パネル３と、壁部材５が差し込まれる溝３７を有する枠材７と、枠材７の上に載置される屋根９とを備え、壁部材５は、平行な２つの前面壁パネル２７と、前面壁パネルの間に設置される背面壁パネル２９と、２つ割りされ折畳み可能な側面壁パネル３１及び仕切り壁パネル３３とで形成され、各壁パネルは、折畳み可能に強力接着テープ３５で接合してなる簡易トイレを用いて形成される非常用トイレ設備４３であって、上部に床パネル３が載置される便槽４５と、便槽４５に隣接して折畳んだ壁部材５が収納される収納空間５３を地下に設け、床パネル３の上部に屋根９を被せてなる。【選択図】  図１５
2007154506.tif 000002
【特許請求の範囲】
【請求項１】
矩形状の個室を形成するための壁部材と、前記壁部材の下端が差し込まれる溝を有する床パネルと、前記壁部材の上端が差し込まれる溝を有する枠材と、前記枠材の上に載置される屋根とを備え、前記壁部材は、対向する２組の壁パネルで形成され、１組の壁パネルの一方には入口扉が設けられ、他の１組の壁パネルは縦に２つ割りされ、２つ割りされた壁パネル及び他の壁パネルは、２つ割りされた壁パネルを室内側に折り曲げ可能に接着テープで接合されてなることを特徴とする簡易トイレ。
【請求項２】
矩形状の複数の個室を連設して形成するための壁部材と、前記壁部材の下端が差し込まれる溝を有する床パネルと、前記壁部材の上端が差し込まれる溝を有する枠材と、前記枠材の上に載置される屋根とを備え、前記壁部材は、平行に設けられる前面壁パネル及び背面壁パネルと、前面壁パネルと背面壁パネルの両側端に渡して設けられる側面壁パネルと、側面壁パネルと平行に前面壁パネルと背面壁パネルとの間に渡して設けられる１又は複数の仕切り壁パネルとから形成され、側面壁パネル及び仕切り壁パネルは、それぞれ２つ割りされて、前面壁パネルと背面壁パネルの間に挟み込まれるように折り曲げ可能に接着テープで接合され、前面壁パネルには各個室の入口扉が設けられてなることを特徴とする簡易トイレ。
【請求項３】
矩形状の複数の個室を連設して形成するための壁部材と、前記壁部材の下端が差し込まれる溝を有する床パネルと、前記壁部材の上端が差し込まれる溝を有する枠材と、前記枠材の上に載置される屋根とを備え、前記壁部材は、平行に設けられる２つの前面壁パネルと、前面壁パネルの間に平行して設けられる背面壁パネルと、前面壁パネルと背面壁パネルの両側端に渡して設けられる側面壁パネルと、側面壁パネルと平行に前面壁パネルと背面壁パネルとの間に渡して設けられる１又は複数の仕切り壁パネルとから形成され、側面壁パネル及び仕切り壁パネルは、それぞれ２つ割りされて、前面壁パネルと背面壁パネルの間に挟み込まれるように折り曲げ可能に接着テープで接合され、前面壁パネルには各個室の入口扉が設けられてなることを特徴とする簡易トイレ。
【請求項４】
請求項１、２又は３に記載の簡易トイレにおいて、前記屋根は、水を貯留することができる容器状に形成され、前記屋根の底面に前記各個室に設けられる便器に水を供給する配管が連結されてなることを特徴とする。
【請求項５】
請求項１、２、３又は４に記載の簡易トイレにおいて、前記屋根は、前記各個室に位置する部分が光を透過する材料で形成されてなることを特徴とする。
【請求項６】
請求項１、２、３、４又は５に記載の簡易トイレを用いてなる非常用トイレ設備であって、前記床パネルが載置される開口縁を有し地下に設けられる便槽と、前記便槽に隣接して前記壁部材を折畳んだ状態で収納可能に地下に設けられる収納空間と、前記床パネルの上部に前記屋根を被せてなる非常用トイレ設備。
【請求項７】
請求項６に記載の非常用トイレ設備において、前記便槽は、地崩れを防止するトレンチシートと、該トレンチシートの内側に張られたビニールシートとを有することを特徴とする非常用トイレ設備。
【請求項８】
請求項６に記載の非常用トイレ設備において、前記便槽は、地崩れを防止する鋼管と、コンクリートにより固められた底面を備え、前記鋼管の内側に張られたビニールシートとを有することを特徴とする非常用トイレ設備。
【請求項９】
請求項６、７又は８に記載の非常用トイレ設備において、前記便槽は、平常時に非常用物資を収納する空間又は飲料水を貯蔵する空間として利用可能であることを特徴とする非常用トイレ設備。
【請求項１０】
請求項６、７、８又は９に記載の非常用トイレ設備において、前記床パネルは、前記各個室に設けられる前記水洗便器と前記便槽とをつなぐ排便口を有することを特徴とする非常用トイレ設備。
【発明の詳細な説明】
【技術分野】
【０００１】
本発明は、簡易トイレ及び非常用トイレ設備に係り、具体的には、大地震などの非常事態が発生したときに人々が避難する学校や公園、公共の施設などの避難所で使用するのに好適なものに関する。
【背景技術】
【０００２】
従来、大地震などの非常事態が発生したときに人々が集まる避難所のトイレが不足することから、仮設の非常用トイレ設備を設けることが行なわれる。この非常用トイレ設備には、例えば、矩形状の個室を形成する壁と屋根と床を備えた簡易トイレを用いることが知られている。このような非常用トイレ設備は、平常時には倉庫などに収納しておくことが一般的である。そこで、非常用トイレ設備を収納しておく空間を小さくするために折畳式の簡易トイレが提案されている（特許文献１）。これによれば、床パネルを中央から２つ割りし、それぞれを壁パネルの間に挟み込むように室内側に折り曲げ、壁パネルを室内側に折畳み、屋根を折畳んだ壁パネルの側面にあわせて折り曲げることによって収納空間を小さくしている。
【０００３】
【特許文献１】特開２００３−２３９５５２号公報
【発明の開示】
【発明が解決しようとする課題】
【０００４】
しかし、特許文献１に記載の簡易トイレによれば、折畳んだ壁パネルの間に床パネルを挟み込むに構造になっているから、床パネルが折畳み込まれた部分以外の領域の壁パネル間に隙間ができてしまう。したがって、必ずしも収納空間を十分に小さくしているとは言えない。
【０００５】
また、避難所などには、多数の簡易トイレを設置する必要があるが、特許文献１の簡易トイレは、単に複数並べて設置することになり、組立時間を短縮することについて考慮されていない。
【０００６】
さらに、特許文献１の簡易トイレは、使用時に収納場所から設置場所まで運搬する必要があるなど、使用可能になるまでの時間を短縮することについて考慮されていない。
【０００７】
本発明の第１の課題は、簡易トイレ使用時に、組立てて使用する簡易トイレの収納空間を十分に小さくすることにある。
【０００８】
また、本発明の第２の課題は、複数の簡易トイレを組立てるのにあたって、組立時間を短縮することにある。
【０００９】
さらに、本発明の第３の課題は、簡易トイレ使用時に、収納場所から設置場所までの運搬や便槽を掘る時間を削減し、使用可能になるまでの時間を短縮することにある。
【課題を解決するための手段】
【００１０】
上記の第１の課題を解決するため、本発明の第１の態様の簡易トイレは、矩形状の個室を形成するための壁部材と、前記壁部材の下端が差し込まれる溝を有する床パネルと、前記壁部材の上端が差し込まれる溝を有する枠材と、前記枠材の上に載置される屋根とを備え、前記壁部材は、対向する２組の壁パネルで形成され、１組の壁パネルの一方には入口扉が設けられ、他の１組の壁パネルは縦に２つ割りされ、２つ割りされた壁パネル及び他の壁パネルは、２つ割りされた壁パネルを室内側に折り曲げ可能に接着テープで接合されてなることを特徴とする。
【００１１】
すなわち、簡易トイレを床パネル、壁部材、枠材、屋根に分割し、壁部材を単独で折畳み可能することにより、壁部材を折畳んだときの無駄な空間を最小化することができるから収納空間を小さくすることができる。また、壁部材の各壁パネルを接着テープで連結することにより、折畳んだときの各壁パネル間の隙間を十分に小さくすることができ、さらに収納空間を小さくすることができる。
【００１２】
また、上記の第２の課題を解決するため、本発明の第２の態様の簡易トイレは、矩形状の複数の個室を連設して形成するための壁部材と、前記壁部材の下端が差し込まれる溝を有する床パネルと、前記壁部材の上端が差し込まれる溝を有する枠材と、前記枠材の上に載置される屋根とを備え、前記壁部材は、平行に設けられる２つの前面壁パネルと、前面壁パネルの間に平行して設けられる背面壁パネルと、前面壁パネルと背面壁パネルの両側端に渡して設けられる側面壁パネルと、側面壁パネルと平行に前面壁パネルと背面壁パネルとの間に渡して設けられる１又は複数の仕切り壁パネルとから形成され、側面壁パネル及び仕切り壁パネルは、それぞれ２つ割りされて、前面壁パネルと背面壁パネルの間に挟み込まれるように折り曲げ可能に接着テープで接合され、前面壁パネルには各個室の入口扉が設けられてなることを特徴とする。
【００１３】
すなわち、第１の態様の簡易トイレを複数連設するにあたって、複数の個室の壁部材を折畳み可能に一体的に形成し、これに合わせて床パネル、枠材、屋根を形成することにより、組立て時には、壁部材を展開すれば複数の個室を短時間で形成できる。また、床パネルと屋根は、複数の個室に対応させて一体形成されているから組立てる必要がなく、全体としての組立時間をさらに短縮することができる。
【００１４】
さらに、上記の第３の課題を解決するため、上記の本発明の簡易トイレを用いて非常用トイレ設備を構成するにあたり、前記床パネルが載置される開口縁を有し地下に設けられる便槽と、前記便槽に隣接して前記壁部材を折畳んだ状態で収納可能に地下に設けられる収納空間と、前記床パネルの上部に前記屋根を被せてなることを特徴とする。
【００１５】
すなわち、上記の本発明の簡易トイレを用いてなる非常用トイレ設備を使用するときに、埋設された便槽の上に載置された床パネルの上に被せた屋根を取り外し、床パネルの上に壁部材を展開して載置し、壁部材の上端を枠材で固定し、枠材の上に屋根を載置することにより簡単に組立てることができ、これにより直ちに使用可能となる。特に、設置場所に非常用トイレ設備に必要な全ての部材が揃っているため、部材を運搬する作業や時間が不要である。また、既に便槽が形成されているため、便槽を掘る作業が不要となり、この点においても、使用可能にするまでの時間を短縮することができる。
【発明の効果】
【００１６】
本発明の第１の態様によれば、簡易トイレの収納空間を十分に小さくすることができる。
【００１７】
また、本発明の第２の態様によれば、簡易トイレを使用するときの組立時間を短縮することができる。
【００１８】
さらに、本発明の非常用トイレ設備によれば、使用可能になるまでの時間を短縮することができる。
【発明を実施するための最良の形態】
【００１９】
以下、本発明の実施の形態について図面を参照して説明する。
【００２０】
（実施形態１）
図１に本発明の実施形態１の簡易トイレの全体を下方から見た斜視図を示し、図２に上方から見た斜視図を示す。図示のように、本発明の実施形態１の簡易トイレ１は、床パネル３と、床パネル３の上に載置された矩形状の４つの個室１９を形成してなる壁部材５と、壁部材５の上端に設置された枠材７と、枠材７の上に載置された屋根９により構成されている。さらに、壁部材５は、各個室１９に対して扉１１及び換気口１７を有し、各扉１１には取っ手１３が設けられている。このように形成された簡易トイレ１は、枠材７に連結された複数のワイヤー１５で地面に固定されている。
【００２１】
床パネル３は、図３に示ように、ハニカム状の芯材に平板状のアルミ板を貼り合わせて矩形状に形成したパネル２１で構成され、パネル２１の外縁と中央部の縦横に壁部材５の下端が差し込まれる溝２３が設けられている。また、溝２３は、図４に示すように、後述する壁部材５の下端が差し込まれる幅に形成され、壁部材５と床パネル３とを連結するための蝶ネジ２５が設けられている。
【００２２】
壁部材５は、図５に示すように、ハニカム状の芯材に平板状のアルミ板を貼り合わせて矩形状に形成した複数の壁パネルで構成されている。複数の壁パネルは、前面側を互いに逆方向に向けて平行に設置される２つの前面壁パネル２７と、２つの前面壁パネル２７の間に平行に設置される１つの背面壁パネル２９と、前面壁パネル２７と背面壁パネル２９により形成される２つの空間の各側面に設置される４つの側面壁パネル３１及び各空間の中間に設けられる２つの仕切り壁パネル３３の９つの壁パネルから形成されている。
【００２３】
側面壁パネル３１及び仕切り壁パネル３３は、図６に示すように、壁パネルの中心を縦に２つ割りされ、強力接着テープ３５で連結されている。また、側面壁パネル３１は、図６に示すように、前面壁パネル２７と背面壁パネル２９の間に挟み込まれるように折り曲げられる。また、側面壁パネル３１を連結する強力接着テープ３５は、図７に示すように、壁パネルの外側に面した連結部には、壁パネルの表面に強力接着テープ３５ａを貼り付け、壁パネルの室内側に面した連結部には、壁パネルの表面及び側面に入り込むように強力接着テープ３５ｂを貼り付ける。また、仕切り壁パネル３３は、図６に示すように、互いが逆方向に折り曲げられ、側面壁パネル３１同様に強力接着テープ３５で貼り付けられている。さらに、各壁パネルは、図６に示すように、前面壁パネル２７と背面壁パネル２９との間に側面壁パネル３１が挟み込まれるように折り曲げられ、側面壁パネル３１同様に強力接着テープ３５で貼り付けられている。このように、２つ割りされた壁パネル及び各壁パネルは、蝶番に換えて強力接着テープ３５でそれぞれ連結されている。
【００２４】
強力接着テープ３５は、図６に示すように、２つ割りされた壁パネルの連結部に貼り付けられ、図７に示すように、壁パネルの折り曲げ部の内側には、壁パネルの表面に強力接着テープ３５ａが貼り付けられ、折り曲げ部の外側には、壁パネルの表面及び側面に入り込むように貼り付けられている。このように、折り曲げ部を挟むように壁パネルの外側と内側の両面に強力接着テープ３５を貼り付けるのは、個室１９内に雨水の浸入を防ぐこと及び折り曲げ部の強度を高めるためである。
【００２５】
また、２つに折畳まれた側面壁パネル３１と仕切り壁パネル３３の幅方向の寸法は、図８に示すように、前面壁パネル２７及び背面壁パネル２９の幅方向の１／４以下の寸法になるように形成されている。つまり、壁部材５を折畳んだときに側面壁パネル３１と仕切り壁パネル３３が干渉することなく折畳むことができるようにしている。また、仕切り壁パネル３３は、図８に示すように、互いが逆方向に折畳まれることにより、壁部材５を折畳んだときの重さが均一になるので、持ち運びが便利になる。
【００２６】
枠材７は、アルミ板又は樹脂板で形成され、図９に示すように、展開して矩形状の４つの個室１９が連設された壁部材５の上端に差し込むように下向きに開口された溝３７が設けられている。
【００２７】
屋根９は、図１０に示すように、アルミ板又は樹脂板で形成された矩形状の平板の底板３９と底板３９の外縁に設置される側板４１から構成されている。また、枠材７と屋根９は図示していないネジにより固定される。このとき屋根９は、矩形状の底板３９の各個室１９に位置する部分を光を通す材料で形成し、個室１９に光を取り込み明るくすることが望ましい。
【００２８】
次に、本実施形態の簡易トイレ１を組立てて使用するときの作業について説明する。まず、床パネル３に対応する大きさの便槽を地面を掘って形成する。便槽は、簡易トイレ１の重さに耐えられる枠部材で便槽の外縁を補強し、補強した枠部材の上に床パネル３を設置する。さらに、壁部材５を展開して床パネル３に設けられた溝２３に壁部材５の下端を差し込み蝶ネジ２５で固定する。次に壁部材５の上端に枠材７の溝３７を差し込み固定して、枠材７の上に屋根９を載置する。枠材７と屋根９はネジで固定する。また、強風などによる簡易トイレ１の倒壊防止のため、枠材７の各角と地面とをワイヤー１５で固定して組立てを完了する。
【００２９】
このように簡易トイレ１を、床パネル３、壁部材５、枠材７、屋根９に分割し、壁部材５を単独で折畳み可能にすることにより、壁部材５を折畳んだときの無駄な空間を最小化することができるから収納する空間を小さくすることができる。また、壁部材５の各壁パネルを強力接着テープ３５で連結することにより、折畳んだときの各壁パネル間の隙間を十分に小さくすることができ、さらに収納する空間を小さくすることができる。
【００３０】
一方、簡易トイレ１を使用するときには、床パネル３の上に壁部材５を展開して載置し、壁部材５の上端を枠材７で固定し、枠材７の上に屋根９を載置することにより簡単に組立てることができる。また、壁部材５は、４つの個室１９を折畳み可能に一体的に形成し、これに合わせて床パネル３、枠材７、屋根９を形成していることにより、簡易トイレ１を組立てるときには、壁部材５を展開すれば４つの個室１９が簡単に形成され、短時間で簡易トイレ１を組立てることができる。また、床パネル３と屋根９は、４つの個室１９に対応させて一体形成されているため組立てる必要がなく、全体としての組立時間をさらに短縮することができる。
【００３１】
また、簡易トイレ１の扉１１の色を、各個室１９ごとに色分けすることが望ましい。これにより、各個室１９の扉１１の色ごとに使用者を割りあてて管理することができる。また、各扉１１には図示していないが適宜、鍵を設けることができる。さらに、各扉１１に設けられた取っ手１３及び鍵は、折畳むときに扉１１に突出部があるとうまく折畳むことができないので、扉１１の表面から突出しない形状が望ましい。
【００３２】
また、簡易トイレ１を形成する各部材は、軽くて錆びにくい丈夫な材料であれば、上記の材料に限らなくてもよい。
【００３３】
また、簡易トイレ１は、側面壁パネル３１が前面壁パネル２７と背面壁パネル２９の間に折畳み可能であれば、４つの個室１９を連設する構成でなくてもよい。
【００３４】
さらに、図示していないが、本発明の簡易トイレ１は、各個室１９に便器を設けるようになっている。また、各個室１９に設ける便器が水洗便器の場合には、屋根９を水槽として利用して水を溜め、屋根９から各個室１９の水洗便器に水を通す配管を連結して洗浄水とすることができる。また、各個室１９に設けられる便器は、水洗便器に限らず、例えば、折畳み式や出来合の便器でもよい。なお、水洗便器ではない場合には、屋根９は、水を溜める形状である必要はない。
【００３５】
（実施形態２）
図１１に本発明の実施形態１の簡易トイレを用いた実施形態２の非常用トイレ設備４３の断面図を示す。図示のように、実施形態の非常用トイレ設備４３は、地下に設けた開口縁を有する便槽４５と、便槽４５の開口縁に設置される枠部材４７と、便槽４５の上部を覆う床パネル３と、便槽４５に隣接して地下に設けた収納空間４９と、収納空間４９の上部を塞ぐ収納空間蓋５１と、床パネル３と収納空間蓋５１の上部に被せて設置される屋根９とから構成されている。
【００３６】
便槽４５は、図１１に示すように、地下を掘削して設けられ、便槽４５の内壁は、外側からトレンチシート５３、発砲スチロール５５、ＦＲＰ５７、ビニールシート５９を順に設置して形成されている。また、便槽４５の開口縁には、枠部材４７が設置され、枠部材４７の上に便槽４５の開口を覆うように床パネル３が設置され、床パネル３には、各個室１９に対して排便口６１がそれぞれ設けられている。
【００３７】
収納空間５３は、図１１に示すように、折畳んだ状態の壁部材５を収納できる空間をトレンチシート５３によって形成され、便槽４５に隣接して地下に設けられている。また、収納空間４９の開口に枠部材４７を設け、枠部材４７の上の開口を塞ぐように収納空間蓋５１が設置される。
【００３８】
このように形成された非常用トイレ設備４３は、平常時には、図１１に示すように、収納空間４９に壁部材５を折畳み収納し、収納空間４９の上に収納空間蓋５１を設置し、便槽４５と収納空間４９の上部に設置されたそれぞれの蓋の上に逆さにした屋根９を覆い被せて形成されている。
【００３９】
このとき、便槽４５内に非常用物資又は防腐を施した飲料水を貯蔵しておくことができる。また、地下水などにより便槽４５に浮力がかかる場合、便槽４５に水を溜めることで便槽４５の浮き上がりを押さえることができる。また、収納空間４９には、壁部材５だけでなく、水を汲み上げる人力ポンプや人力発電器具、仮設照明など非常用トイレ設備４３を使用するのに必要な器具を収納することができる。
【００４０】
一方、非常用トイレ設備４３を使用するときには、図１２に示すように、各蓋の上に設置された屋根９を取り外し、収納空間４９から壁部材５を取り出して展開し、便槽４５の上に設置された床パネル３の上に壁部材５を載置する。さらに、壁部材５の上部に枠材７を差し込み固定し、枠材７の上に取り外した屋根９を設置して図示していないネジで固定することにより使用可能となる。
【００４１】
このように、設置場所に非常用トイレ設備４３の部材が全て揃っているため、運搬する作業や時間が不要になる。さらに、床パネル３の下に便槽４５が設置されているため、便槽４５を掘る作業や時間が不要になり短時間で非常用トイレ設備４３を使用することができる。
【００４２】
また、非常用トイレ設備４３の使用後は、便槽４５の内側に設置されたビニールシート５９を交換することにより、非常用トイレ設備４３を簡単に再使用する
ことができる。
【００４３】
（実施形態３）
次に、本発明の実施形態２の非常用トイレ設備４３の便槽４５を鋼管６５とコンクリート６７によって形成した実施形態３の非常用トイレ設備４３について説明する。なお、実施形態２で既に説明した内容については省略し、その他、同一の構成要素については、同一の符号を付して説明を省略する。
【００４４】
実施形態の非常用トイレ設備４３の便槽４５は、図１３に示すように、鋼管６５とコンクリート６７で形成されている。鋼管６５は、地面に対して鉛直に埋め込めこまれている。さらに、鋼管６５の底部をコンクリート６７で固めて便槽４５の底面を形成している。このとき、鋼管６５は、地面に埋め込まれる形であれば、地面を掘削して埋め込んでも、鋼管６５を地面に打ち込んでから内部を掘削してもよい。このように便槽４５を容易に構築することができるため、構築作業時間を短縮することができる。
【００４５】
また、便槽４５の上部には天板６７が設けられ、図１４に示すように、この天板６７には床パネル３に対応した大きさの開口が形成されている。便槽４５の開口の側縁には、床パネル３を被せる枠部材７１が設けられている。また、天板６７には、図１４に示すように、少なくとも１箇所に、便槽４５内の排泄物を汲み取る蓋付きの汲み取り口６９が設けられている。このことより、図１５に示すように、簡易トイレ１使用時でも便槽４５内に溜まった排泄物を汲み取ることができる。
【００４６】
また、複数個の鋼管６５を設置場所に運搬するときには、複数の鋼管６５の直径を一回りずつ小さくし、入れ子状にして運搬することができる。これにより、複数の鋼管６５を同時に運搬することができ、運搬費用の削減や運搬時間を短縮することができる。
【図面の簡単な説明】
【００４７】
【図１】本発明の第１の実施形態の簡易トイレを下から見た斜視図である。
【図２】第１の実施形態の簡易トイレを上から見た斜視図である。
【図３】（ａ）は第１の実施形態の床パネルの平面図、（ｂ）は断面図である。
【図４】第１の実施形態の床パネルの一部を拡大して示した断面図である。
【図５】第１の実施形態の壁部材を展開した平面図である。
【図６】第１の実施形態の壁部材の折畳む様子を示す図である。
【図７】第１の実施形態の各壁パネルの折り曲げ部の拡大図である。
【図８】第１の実施形態の壁部材を折畳んだ状態を示す図である。
【図９】（ａ）は第１の実施形態の枠材の平面図、（ｂ）は枠材の部分断面図である。
【図１０】（ａ）は第１の実施形態の屋根の平面図、（ｂ）は側面図、（ｃ）は断面図である。
【図１１】本発明の第２の実施形態の非常用トイレ設備の収納状態を示す断面図である。
【図１２】本発明の第２の実施形態の非常用トイレ設備の使用状態における断面図である。
【図１３】本発明の第３の実施形態の非常用トイレ設備の収納状態における断面図である。
【図１４】本発明の第３の実施形態の非常用トイレ設備の収納状態における平面図である。
【図１５】本発明の第３の実施形態の非常用トイレ設備の使用状態における断面図である。
【符号の説明】
【００４８】
１  簡易トイレ
３  床パネル
５  壁部材
７  枠材
９  屋根
１１  扉
１３  取っ手
１５  ワイヤー
１７  換気口
１９  個室
２１  パネル
２３  溝
２５  蝶ネジ
２７  前面壁パネル
２９  背面壁パネル
３１  側面壁パネル
３３  仕切り壁パネル
３５  強力接着テープ
３７  溝
３９  底板
４１  側板
４３  非常用トイレ設備
４５  便槽
４７  枠部材
４９  収納空間
５１  収納空間蓋
５３  トレンチシート
５５  発砲スチロール
５７  ＦＲＰ
５９  ビニールシート
６１  排便口
６３  鋼管
６５  コンクリート
６７  天板
６９  開口
７１  枠部材
【図１】
2007154506.tif 000003
【図２】
2007154506.tif 000004
【図３】
2007154506.tif 000005
【図４】
2007154506.tif 000006
【図５】
2007154506.tif 000007
【図６】
2007154506.tif 000008
【図７】
2007154506.tif 000009
【図８】
2007154506.tif 000010
【図９】
2007154506.tif 000011
【図１０】
2007154506.tif 000012
【図１１】
2007154506.tif 000013
【図１２】
2007154506.tif 000014
【図１３】
2007154506.tif 000015
【図１４】
2007154506.tif 000016
【図１５】
2007154506.tif 000017